(57)【要約】      （修正有）【課題】両開きのカメラハウジングにおいて、扉が開いた状態でその位置を保持することのできるハウジング機構をもつカメラハウジングを提供する。【解決手段】カメラハウジングは、ハウジング本体１と、ハウジング本体１の開口部を開閉する１枚の扉２であって、開口部の上側及び下側のそれぞれに回動軸を有する回動部に着脱可能に接続され、上側および下側のいずれか一方の回動部との接続を外すことにより、他方の回動部の回動により開口部を開閉する扉２と、ハウジング本体１と扉２の、一方に対しては軸支され、他方に対しては互いに摺動可能に接続され、扉２を上方向及び下方向に開いた状態で保持する摺動接続機構６１と、を有する。【選択図】図５
2018109661.tif 000002
【特許請求の範囲】
【請求項１】
ハウジング本体と、
該ハウジング本体の開口部を開閉する１枚の扉であって、該開口部の上側及び下側のそれぞれに回動軸を有する回動部に着脱可能に接続され、上側および下側のいずれか一方の前記回動部との接続を外すことにより、他方の前記回動部の回動により前記開口部を開閉する扉と、
前記ハウジング本体と前記扉の、一方に対しては軸支され、他方に対しては互いに摺動可能に接続され、前記扉を上方向及び下方向に開いた状態で保持する摺動接続機構と、
を有することを特徴とするカメラハウジング。
【請求項２】
前記摺動接続機構は、摺動溝及び該摺動溝と係合する係合部を有し、前記扉が下側の前記回動部が回動して開いた場合は、前記摺動溝の端と前記係合部が当接することにより前記扉が開いた状態で保持され、前記扉が上側の前記回動部が回動して開いた場合は、前記摺動溝に構成された係止溝部と前記係合部が当接することにより前記扉が開いた状態で保持される、ことを特徴とする請求項１に記載のカメラハウジング。
【請求項３】
前記摺動接続機構は、前記摺動溝が構成され前記ハウジング本体に固定されたカムプレートと、前記摺動溝と係合して摺動する前記係合部を有し前記扉に軸支されたステーと、を備えることを特徴とする請求項２に記載のカメラハウジング。
【請求項４】
前記摺動溝は二股状の溝であり、前記扉が閉じた状態から、前記扉が上方向に開いた状態へ移動するときと、前記扉が下方向に開いた状態へ移動するときとで、前記係合部が互いに異なる前記溝に沿って移動し、
前記ステーと前記扉に両端を固定された弾性部材を備え、前記扉が開くときには、前記ステーが前記扉に軸支されている位置の回りで、前記扉が前記ハウジング本体に対して回動する前記回動軸との間の角度を狭める方向の力を受けるように前記弾性部材が配置されている、
ことを特徴とする請求項３に記載のカメラハウジング。
【請求項５】
前記係合部は前記ハウジング本体に突設され、前記摺動溝が形成され前記扉に軸支されたステーを有する、ことを特徴とする請求項２に記載のカメラハウジング。
【請求項６】
前記摺動接続機構は、前記扉に固定された前記摺動溝と、所定の長さでロック可能な伸縮するステーを有し、
前記ステーは、一方の端に前記摺動溝と摺動可能に係合する前記係合部を有し、他方の端が前記ハウジング本体に軸支され、
前記摺動溝の前記係止溝部と前記係合部が当接して前記扉が上側に開いた状態で保持するときには、前記ステーの長さはロックされる、
ことを特徴とする請求項２に記載のカメラハウジング。
【発明の詳細な説明】
【技術分野】
【０００１】
本発明は、屋内や屋外に設置されるカメラハウジングに関し、特に雲台装置の撮像装置を収容するハウジングであって、ハウジングの扉が上下に両開きするハウジング機構に関するものである。
【背景技術】
【０００２】
従来、雲台装置のハウジングにおいては、ハウジングの中に設けられた外線ケーブルやカメラの調整を行うために、ハウジングに対して扉が開く機構が知られている。また、それらのメンテナンス向上のためのハウジング機構が提案されており、例えば特許文献１のようなものがある。
【０００３】
特許文献１では、ハウジングとハウジング扉の両端にヒンジを設けることにより、ハウジング扉の両開きを可能にしている。
【先行技術文献】
【特許文献】
【０００４】
【特許文献１】特許第４５０４７３２号公報
【発明の概要】
【発明が解決しようとする課題】
【０００５】
しかし、特許文献１のようなハウジング機構では、両開きは可能なものの、ハウジング扉を開いた状態で保持することが困難であり、扉を手で押さえるなどして作業しなければならず、作業性が悪いという問題があった。
【０００６】
そこで、本発明の目的は、上下両開きの雲台装置のカメラハウジングにおいて、扉が開いた状態でその位置を保持することができ、作業性の向上を行うことである。
【課題を解決するための手段】
【０００７】
上記目的を達成するために、本発明のカメラハウジングは、ハウジング本体と、該ハウジング本体の開口部を開閉する１枚の扉であって、該開口部の上側及び下側のそれぞれに回動軸を有する回動部に着脱可能に接続され、上側および下側のいずれか一方の前記回動部との接続を外すことにより、他方の前記回動部の回動により前記開口部を開閉する扉と、前記ハウジング本体と前記扉の、一方に対しては軸支され、他方に対しては互いに摺動可能に接続され、前記扉を上方向及び下方向に開いた状態で保持する摺動接続機構と、を有することを特徴とする。
【発明の効果】
【０００８】
本発明によれば、上下両開きの雲台装置カメラハウジングにおいて、扉が開いた状態でその位置を保持することができ、作業性を向上することができる。
【図面の簡単な説明】
【０００９】
【図１】実施例１におけるカメラハウジング
【図２】図１のカメラハウジングにおいて、扉が上側に開いた状態を示す斜視図
【図３】カメラハウジングにおける蝶番の拡大図
【図４】実勢例１におけるカメラハウジングの断面図
【図５】実施例１において、扉が開く過程を示す状態図
【図６】実施例１におけるカメラハウジングにおいて、扉が上側、下側に開いたときの斜視図
【図７】実施例２におけるカメラハウジングの断面図
【図８】実施例２において、扉が上側に開いている状態を示す断面図
【図９】実施例３におけるカメラハウジングの断面図
【図１０】実施例３において、扉が開く過程を示す断面図
【発明を実施するための形態】
【００１０】
以下に、本発明のカメラハウジングの好ましい実施の形態を、添付の図面に基づいて詳細に説明する。
【実施例１】
【００１１】
図１、２、３を参照して、実施例１におけるカメラハウジングを説明する。
図１は、実施例１におけるカメラハウジング２００の斜視図である。図２は、図１のカメラハウジング２００において、扉２が上側に回動して開口部が開いた状態の斜視図である。図３は、カメラハウジングにおける蝶番部の拡大図である。
【００１２】
実施例１のカメラハウジング２００は、ハウジング本体１と扉２を備える。扉２は、蝶番（回動部）３を介してハウジング本体１に連結される。図３に示すように、蝶番３は、ハウジング本体１に固定される本体固定部３ｃ１と扉２に着脱可能に固定される扉固定部３ｃ２からなる筐体固定部３ｃと、ヒンジ部３ｄを有する。本体固定部３ｃ１と扉固定部３ｃ２はヒンジ部３ｄを介して連結され、ヒンジ部３ｄを回動中心としてハウジング本体１と扉２を回動自在に接続する。蝶番３は扉２の上下４箇所に設置される。蝶番３のうち、ハウジング本体１の下側において扉２を扉固定部３ｃ２に螺子止めしている下側ネジ３ｂを外すことで扉２を上側に回動して開くことができる。また、蝶番３のうち、ハウジング本体１の上側において扉２を扉固定部３ｃ２に螺子止めしている上側ネジ３ａを外すことで扉２を下側に回動して開くことができる。この蝶番３により、ハウジング本体１に対して扉２を上下方向に開くことを可能とする。ハウジング本体１の内部には、カメラ保持部２１を介してカメラ２０が固定され、カメラ２０にはレンズ装置３０が保持される。
【００１３】
本発明のカメラハウジングは、ハウジング本体と、ハウジング本体の開口部を開閉する１枚の扉であって、開口部の上部及び下部のそれぞれに回動軸を有する回動部に着脱可能に接続され、上部および下部の一方の回動部との接続を解除することにより、他方の回動部の回動により開口部を開閉する扉を有する。また、ハウジング本体と扉の、一方に対しては軸支され、他方に対しては互いに摺動可能に接続され、扉を上方向及び下方向に開いた状態で保持する摺動接続機構と、を有する。
【００１４】
図４、５、６を参照して、実施例１のカメラハウジングにおける両開き扉の保持構造について具体的に説明する。図４は、実施例１におけるカメラハウジング２００の断面図である。図５は、実施例１におけるカメラハウジング２００の扉２が、上側に回動して開口部が開いていく過程を示した状態図である。図６は、実施例１におけるカメラハウジング２００の扉２が、上側、下側に回動して開口部が開いた場合を便宜的に１枚の図に示した斜視図である。
【００１５】
扉２には、ステー接続部４１が固定される。ステー５１は、ステー接続部４１に対してステー回動軸４０を回動中心として回動自在に連結される。また、ステー５１は、後に説明するカムプレート８１に設けられた摺動溝９１に摺動可能に係合する係合部６１を備える。そして、ステー接続部４１とステー５１の間には、ステー接続部側バネ連結軸７１とステー側バネ連結軸７２を介して、引張りバネ（弾性部材）７が連結される。ハウジング本体１の内側には、カムプレート８１が固定される。カムプレート８１には、ステー５１に設けられた係合部６１が係合する摺動溝９１が設けられ、その摺動溝９１は、二股に分かれている。図４に示すように、蝶番３の下側ネジ３ｂを外して扉２を上方向へ回動して開いた場合、ステー５１はステー接続部４１に対して、ステー回動軸４０を回動中心として回動する。その際、ステー５１に設けられた係合部６１は、カムプレート８１に設けられた摺動溝９１の上側の溝に沿って摺動する。ステー５１、カムプレート８１、ステー回動軸４０で摺動接続機構を構成する。ここで、扉２が閉じた状態において、ステー回動軸４０よりステー５１から離間する方向にあるステー接続部側バネ連結軸７１と、係合部６１とステー回動軸４０との間に位置するステー側バネ連結軸７２と、で両端が支持される引張りバネ７を備える。このようにステー接続部４１（扉２）とステー５１の間に引張りバネ７を設けたことにより、ステー５１はステー回動軸４０を中心として矢印８０方向へ力を受ける。すなわち、ステー５１はステー回動軸４０を中心として扉２が開くときの回動中心となる蝶番３側へ回動しようとする力を受けるように引張りバネ７が配置されているため、ステー５１に設けられた係合部６１は、摺動溝９１の上側面に沿って摺動する。そのため、摺動溝９１が二股に分かれているが、扉２を上側に開く場合には上側の摺動溝に、下側に開く場合には下側の摺動溝に沿って係合部６１が摺動し、係合部６１が扉２を開く方向と逆方向の摺動溝９１に沿って摺動することはない。なお、扉２が上側に開く場合と下側に開く場合とで、係合部６１がより安定的に上側の摺動溝、下側の摺動溝に係合して移動するために、摺動溝が上方下方に分岐する分岐点を、扉２が所定の量以上開いた状態となったときに係合部６１が至る位置とすることが好ましい。この位置は、ステー５１の重量、長さ等の構成、引張りバネ７の特性、等により決まる引張りバネ７によるステー回動軸４０回りのモーメントを考慮して決定するとよい。
【００１６】
上側に分岐した摺動溝９１の端部には、扉保持溝（係止溝部）１０が設けられ、係合部６１が扉保持溝１０に落ち込むことにより係合部６１が扉保持溝１０の端部と当接し、扉２を上側に開いた状態で保持することができる。扉２を下側に向けて回動して開いた場合は、係合部６１が扉保持溝１０の端部に当接することで、扉を開いた状態で保持することができる。実施例１では、扉保持溝１０を摺動溝９１の端部にのみ設けたが、この扉保持溝１０を摺動溝９１の軌跡の途中に複数設けることにより、扉２を段階的に保持できる構成としても良い。この実施例１に係るカメラハウジングを用いることにより、複雑な部品や機構なしに、扉を両開きかつ扉を開いた状態での位置を保持することが可能となる。下側に向けて回動して開く場合に活用される下側の摺動溝９１の軌跡の途中に扉保持溝１０を複数設けることにより、下側に扉を回動して開く場合においても同様の効果を得ることができる。
【００１７】
なお、実施例１においては摺動溝９１が二股状の構成である場合を示したが、摺動溝９１が二股状の溝ではなく一本の溝で構成されるようにしてもよい。二股状の溝を構成した場合には、扉が上下方向にそれぞれ開いたときの最大角度、及び、扉を開いた状態で固定する角度等を高い自由度で個別に設定することが可能である。それに対し、摺動溝９１を上下方向に開く場合で同じ一本の溝を摺動するように構成した場合には、上下開きの場合のように個別に設定することができる自由度はなくなるが、扉を開いた位置で固定することは可能である。この構成により、より簡素なカムプレートとすることができる。
【実施例２】
【００１８】
次に、図７、８を参照して、実施例２における両開き扉の保持構造について説明する。なお、扉を上下２方向に開閉可能とする構成については、実施例１と同様であるので説明を省略する。
【００１９】
図７は、実施例２におけるカメラハウジング２００の断面図である。図８は、実施例２におけるカメラハウジング２００の扉２が、上側に回動して開口部が開いた状態を示した断面図である。
【００２０】
実施例１と同様、扉２にはステー接続部４２が固定され、ステー５２はステー接続部４２に対してステー回動軸４０を回動中心して回動自在に連結される。ステー５２には、ハウジング本体１に突設された係合部６２が摺動可能に係合する摺動溝９２が設けられる。ステー接続部４２とステー５２の間には、ステー接続部側バネ連結軸７１とステー側バネ連結軸７２を介して、引張りバネ７が連結される。引張りバネ７は、扉２が閉じた状態において、ステー回動軸４０よりステー５２から離間する方向にあるステー接続部側バネ連結軸７１と、係合部６２とステー回動軸４０との間に位置するステー側バネ連結軸７２と、で両端が支持される。すなわち、引張りバネ７の引張り力により、ステー５２はステー回動軸４０を中心として扉２が開くときの回動中心となる蝶番３側へ回動しようとする力を受ける。
【００２１】
図８に示すように、扉２を上方向へ開いた場合、ステー５２は、ハウジング本体１に設けられた係合部６２がステー５２に設けられた摺動溝９２内を摺動することによってステー回動軸４０を回動中心として回動する。摺動溝９２の端部には、扉保持溝（係止溝部）１１が設けられ、係合部６２が扉保持溝１１に落ち込むことにより、扉２を開いた状態で保持することができる。ステー５２、係合部６２、ステー回動軸４０で摺動接続機構を構成する。
【００２２】
扉２が上方に開いたときに、ステー５２はステー回動軸４０を中心として扉２が開くときの回動中心となる上の蝶番３側へ回動しようとする力を受ける。このため、摺動溝９２の端部から下側に向かって扉保持溝１１を形成することにより、上方に扉２を開けたときに、引張りバネ７によりステー５２に加えられる力により係合部６２の扉保持溝１１への係合が容易となる。一方で、扉２が下方に開いたときには、引張りバネ７により扉保持溝１１が形成されている方向とは逆方向にステー５２が付勢されるので係合部６２は扉保持溝１１と係合することなく、摺動溝９２の端部で扉２は開いた状態で保持される。また、扉２が下方に開いた状態から閉じる場合には、係合部６２を扉保持溝１１との係合から外す必要なく、そのまま扉を閉じることができる。この構成により、カムプレートとステーを一体化したために少ない部品数で、扉が開いた状態でその位置を保持可能であり、作業性を向上することができるという同様の効果を奏することができる。
【００２３】
なお、本実施例においては扉とステーの間に引張りバネ７が連結される構成を例示したが、本発明はこれに限定されることはなく、引張りバネ７を持たない構成であってもよい。その場合には、扉が上方に開いたときに、扉の開放端の位置でステーを上方に上げるように手で力を加えて、係合部６２が扉保持溝１１と係合するように移動すればよい。
【実施例３】
【００２４】
次に、図９、１０を参照して、実施例３における両開き扉の保持構造について説明する。なお、扉を上下２方向に開閉可能とする構成については、実施例１と同様であるので説明を省略する。
【００２５】
図９は、実施例３におけるカメラハウジング２００の断面図である。図１０は、実施例３におけるカメラハウジング２００の扉２が、上側に回動して開口部が開いている状態を示した断面図である。
【００２６】
ハウジング本体１には、ステー接続部４３が固定される。ステー５３は、ステー接続部４３に対してステー回動軸４０を回動中心として回動自在に連結される。ここで、実施例３におけるステー５３は、長手方向に伸縮自在な構造であり、所定の１つ以上の長さでロック可能な構成を有する。また、ステー５３は、後に説明するカムプレート８３に設けられた摺動溝９３に摺動可能に係合する係合部６３を備える。扉２には、カムプレート８３が固定される。カムプレート８３には、ステー５３の係合部６３が係合する摺動溝９３が設けられる。図１０に示すように、扉２を上方向へ開いた場合、ステー５３はステー接続部４３に対して、ステー回動軸４０を回動中心として回動する。その際、ステー５３に設けられた係合部６３は、カムプレート８３に設けられた摺動溝９３の上側の溝に沿って摺動する。ステー５３、カムプレート８３、ステー回動軸４０で摺動接続機構を構成する。ここでステー５３は、扉２が上方向へ開いていくに従って長手方向へ伸びていく。摺動溝９３の端部には、扉保持溝（係止溝部）１２が設けられ、係合部６３が扉保持溝１２に落ち込むことにより、扉２を開いた状態で保持することができる。なお、このときに扉２を開いた状態で保持するために、伸縮可能であるステー５３の長さは不図示のストッパーにより固定された状態となっている。あるいは、少なくとも短縮方向に関して規制する不図示のストッパーにより短縮が規制された状態となっている。
【００２７】
ステー５３が扉２の摺動溝９３内で摺動せず扉に回動可能に軸支された場合でも、伸縮可能であって長さを１以上の箇所で固定可能な構成によって、扉の上下方向で開閉し、開位置で保持する構成を実現できるが、開放時にステーによって制限されるスペースが大きくなってしまう。これに対し伸縮可能なステー５３が扉２に配設された摺動溝９３内で摺動する構成とすることにより、扉の解放時のステーにより制限されるスペースが減少し、カメラハウジング内のカメラのメンテナンスなどをより効率的に実施することができる。
【００２８】
実施例３の構成を有するカメラハウジングにより、実施例１、２に対して簡易な構成であり、かつ構成部品を小さくすることができ、省スペース化が可能となる。
【００２９】
以上、本発明に好ましい実施形態について説明したが、本発明はこれらの実施形態に限定されず、その要旨の範囲内で種々の変形および変更が可能である。
【符号の説明】
【００３０】
１：ハウジング本体
２：扉
１０、１１、１２：扉保持溝（摺動接続機構）
４０：ステー回動軸（摺動接続機構）
４１、４２、４３：ステー接続部（摺動接続機構）
５１、５２、５３：ステー（摺動接続機構）
６１、６２、６３：係合部（摺動接続機構）
８１、８３：カムプレート（摺動接続機構）
９１、９２、９３：摺動溝（摺動接続機構）
２００：カメラハウジング
【図１】
2018109661.tif 000003
【図２】
2018109661.tif 000004
【図３】
2018109661.tif 000005
【図４】
2018109661.tif 000006
【図５】
2018109661.tif 000007
【図６】
2018109661.tif 000008
【図７】
2018109661.tif 000009
【図８】
2018109661.tif 000010
【図９】
2018109661.tif 000011
【図１０】
2018109661.tif 000012